(57)【特許請求の範囲】
【請求項１】
受信した信号から自局を呼び出す信号を検出し、使用者に知らせる選択呼び出し機能を備えた無線通信機であって、
自局の呼び出しコードが記憶されているメモリーと、
受信部で復調された信号を解析し、解析された信号が、前記メモリーに記憶されている自局の呼び出しコードであると判断した場合に着信信号を出力する信号解析手段と、
前記着信信号が入力されると着信表示する報知手段と、
操作されたキーに対応するキー信号を出力するキー入力手段と、
前記着信信号が入力された時、所定時間作動するタイマーと、
前記タイマーが作動中にのみ、前記キー入力手段から出力されるキー信号を遮断するキースイッチと、
前記キー入力手段から出力された前記キー信号が、前記キースイッチを介して入力され、当該キー信号に応じた所定の処理を行う制御部と、
を備えたことを特徴とする無線通信機。
【発明の詳細な説明】
【０００１】
【産業上の利用分野】
本発明は、無線通信機におけるコードスケルチやページング運用，ＤＴＭＦ運用等の際に利用する技術に関するものである。
【０００２】
【従来の技術】
コンピュータやワープロ，ワイヤレスリモコン，無線通信機等，キーを多く備えた機器においては、設けられたキーの数以上に、多くの文字や機能を指定しなければならない場合も多く、そのため１つのキーを別の特別なキーで切り換えて、２つ以上の文字又は機能指定に用いることが、一般的に行われている。
【０００３】
それは、一つの文字や機能に対して１つの専用キーを対応させると、大量のキーと設置のためのスペースが必要になるからで、特に、設置スペースが限定された携帯用無線通信機においては、それぞれ専用のスイッチ又はキーを設けると、小型化を妨げる要因になる。また、キーや基板等の部品も必要になるのでコストアップの要因にもなる。
【０００４】
【発明が解決しようとする課題】
ところが、１つのキーを２つ以上の文字又は機能指定に用いる機器において、専用のキーを使って、自分の意志で目的のキーを切り換えて所望の文字又は機能を指定する時は問題がないが、使用者が気づかないうちに外部信号によってキーの指定する機能が切り換わるように設計されているときは、誤操作の可能性は大きくなる。
【０００５】
例えば、無線通信機において選択呼び出し機能を備えたものに起きる誤操作について説明する。選択呼び出し機能とは、受信した信号に載せられたデータを復調し、その信号の中に自局を呼び出す呼び出し信号があればそれを検出し、使用者に知らせるものである。具体的には、呼び出し信号を検出したときに、それを液晶表示器（以下、ＬＣＤ）の文字で表示したり、発光ダイオード（以下、ＬＥＤ）を点灯又は点滅させたり，発光する色を変化させたり、警報音を発したりして知らせ、自局あての呼び出しがあった事実を報知するものである。
【０００６】
この選択呼び出し機能は、解除されない限り表示や警報音を継続したままなので、無線通信機にはそれを解除するための解除キーが必ず設けられる。この解除キーが、専用の場合は特に問題はないが、他機能を指定するために設けられたキーを、呼び出し信号の検出時には選択呼び出し解除用に自動的に切り換わるよう構成されている場合は問題が起こる。
【０００７】
具体的に説明すると、このような無線通信機において、他機能を指定するために設けられたキーを本来の機能を指定するために押そうとする寸前に、自局を呼び出す信号が着信し、呼び出し信号を検出して各種の表示や警報音が発せられたにもかかわらず、表示や音に気づかないままそのキーを押し、結果として着信を解除してしまうことがある。
【０００８】
また、送信をするためのスイッチ（以下ＰＴＴスイッチという）を押す寸前、電源スイッチを切る寸前、もしくは受信の音量を小さくする操作の途中で、自局あての信号が着信した時も、それに気づかず着信を解除又は無視してしまう場合がある。このような状態が無線通信機において、往々にして発生し、誤操作と勘違いされる。
【０００９】
本発明は、前記の問題点にかんがみて提案されたもので、外部信号による誤操作を防ぐための機能を備えた無線通信機であって、例えば、自局を呼び出す信号が着信していることに気づかないうちに、その着信を解除するという誤操作を起こさないように着信表示する機能を備えた無線通信機を提供することを目的としている。
【００１０】
【課題を解決するための手段】
請求項１の無線通信機では、
受信した信号から自局を呼び出す信号を検出し、使用者に知らせる選択呼び出し機能を備えた無線通信機であって、
自局の呼び出しコードが記憶されているメモリーと、
受信部で復調された信号を解析し、解析された信号が、前記メモリーに記憶されている自局の呼び出しコードであると判断した場合に着信信号を出力する信号解析手段と、
前記着信信号が入力されると着信表示する報知手段と、
操作されたキーに対応するキー信号を出力するキー入力手段と、
前記着信信号が入力された時、所定時間作動するタイマーと、
前記タイマーが作動中にのみ、前記キー入力手段から出力されるキー信号を遮断するキースイッチと、
前記キー入力手段から出力された前記キー信号が、前記キースイッチを介して入力され、当該キー信号に応じた所定の処理を行う制御部と、
を備えるという手段を講じた。
【００１４】
本明細書において、キーとは、キーボード上のキーだけに限定されるものではなく、電源スイッチやＰＴＴ，電子ボリウム等、電気的に信号を処理するキー及びスイッチのすべてを指している。また、請求項１において、処理実行手段に入力される前記着信信号は、０の場合（信号入力が無い場合）を含む。
【００１５】
【作用】
請求項１の無線通信機においては、受信部で復調された信号は信号解析手段に入力され、そこで信号が解析される。そこで、自局を呼び出す信号を検出したら着信信号を出力する。すると報知手段では、着信信号を検出したことを知らせる。またタイマーが作動中は、キースイッチではキー入力手段からのキー信号を遮断してしまうので、いくらキーを押しても制御部ではキー信号に対応する所定の処理が行われない。
【００１８】
一方、着信信号が出力されない時、又は前記所定時間経過後は、出力されたキー信号は遮断されることなく、制御部に送られ、そこでこのキー信号に対応する処理が行われる。
【００２１】
【実施例】
以下に本発明にかかる無線通信機を、実施例を示した図面に基づいて、詳細に説明する。
【００２２】
（実施例１）
図１は実施例１の無線通信機の要部のブロック図，図２は図１の無線通信機の着信処理のフローチャート，図３はキー入力処理のフローチャートである。
【００２３】
図１において、１は後述するＤＴＭＦデータを解析して自局を呼び出す信号を検出したとき着信信号を出力する信号解析回路，２は受信信号を復調して出力する受信部，３は出力された復調信号に含まれるＤＴＭＦデータを検出するＤＴＭＦデコーダである。４は自局の呼び出しコードや周波数等が記憶されているメモリー，５は所定時間を計測するタイマーである。６は処理実行回路で、着信信号が入力されたときは着信解除モードに、着信信号がないとき又は着信表示が解除されたときは通常モードに対応する周波数設定モードにし、ここにキー７からのキー信号が入力された時には先に選択された処理モードを実行する。７は、処理実行回路６における処理の開始を指示するためのキーである。８は処理実行回路６が着信解除モードになっていることをＬＣＤ８ａの画面の文字と音響発生素子８ｂの音とで知らせる報知器である。９はキー７からのキー信号をタイマー５の制御によって遮断するキースイッチである。
【００２４】
ここで、信号解析回路１が信号解析手段に，処理実行回路６が処理実行手段に，キー７がキー入力手段に，報知器８が報知手段に対応している。
【００２５】
次に図２及び図３のフローチャートを用いて図１の無線通信機の動作を説明する。受信部２で受信され復調された信号は、ＤＴＭＦデコーダ３で解読されて信号解析回路１に入力され、そこでメモリー４からのデータを基に解析される。解析された信号が、自局を呼び出す信号であると判断された場合に着信信号が出力され、図２の着信処理に入る。
【００２６】
着信処理を示す図２のフローチャートは、信号解析回路１から着信信号が出力された場合の各部の動作を表している。着信信号が出力されると、先ず、ステップＳ１でタイマー５が作動を開始し、ステップＳ２でキースイッチ９を遮断制御する。同時に、処理実行回路６はステップＳ３で周波数設定モードから着信解除モードに入る。そして、ステップＳ４で処理実行回路６が報知器８を制御して、着信解除モードに入ったことをＬＣＤ８ａの文字と音響発生素子８ｂの警報音で表示させる。
【００２７】
ステップＳ５では、ステップＳ１でカウントを開始しはじめたタイマー５によって、所定時間が計測される。そして、所定時間（例えば、５秒間）が経過したらステップＳ６でタイマー５の動作が停止する。すると、ステップＳ７でキースイッチ９が接続される。以後は、キー７が押されたらキー信号は処理実行回路６に加わる。
【００２８】
図３のキー入力処理は、キー７が押されてキー信号が出力された時に、それがどう処理されるかを表すフローチャートである。図３において、ステップＳ１１では現在のモードが着信解除モードであるかをチェックする。着信解除モードでなければ（周波数設定モードであれば）、キー７からのキー信号は、キースイッチ９を通って処理実行回路６に入力され、ステップＳ１３で周波数設定モードに従って周波数設定処理が行われる。これで、キー入力処理は終了する。
【００２９】
一方、ステップＳ１１で着信解除モードであれば、ステップＳ１２に進む。そして、ステップＳ１２でタイマー５が動作中であれば、キースイッチ９は切れているので、キー７からのキー信号は、処理実行回路６には入力されない。これで処理が終了し、キー７を押したことは無効となる。また、ステップＳ１２でタイマー５が動作中でなければ、キー７からのキー信号は、キースイッチ９を通って処理実行回路６に入力され、ここで着信解除モードに従って、ステップＳ１４で着信解除処理が行われる。これで、キー入力処理は終了する。
【００３０】
なお、着信解除処理とは、報知器８の着信表示を停止するとともに、処理実行回路６の着信解除モードを通常の周波数設定モードに切り換える処理をいう。
【００３１】
（実施例２）
図４は実施例２の無線通信機の要部のブロック図で、ハードウェア処理をした前記の実施例と違って、メモリー１４に記憶されたデータに基づいて、ＣＰＵ１１がソフトウェア処理するものである。図４において、１１は後述する各部を制御するＣＰＵ，１２は受信信号を復調して出力する受信部，１３は出力された復調信号に含まれるＤＴＭＦデータを検出するＤＴＭＦデコーダである。１４は自局の呼び出しコードや周波数等が記憶されているメモリー，１５は指定された時間を計測するタイマー，１６は着信信号があることを報知する報知器である。１７は、通常時には周波数を設定する機能を、着信表示がされている時には着信解除をする機能を指定するキーで、ＣＰＵ１１を制御してその処理を実行させる。
【００３２】
ここで、ＣＰＵ１１とメモリー１４が信号解析手段に，キー１７がキー入力手段に，ＣＰＵ１１と報知器１６が報知手段に，ＣＰＵ１１が処理実行手段に対応している。実施例２における動作の順序は、前記の実施例１で示した図２，図３のフローチャートとほぼ同様であるので、ここでは省略する。
【００３３】
（実施例３）
図５は実施例３の無線通信機の要部のブロック図であるが、実施例１と異なる部分についてのみ説明する。図５において、１８はキー信号に対応する送信信号を出力するＰＴＴスイッチ，１９はタイマー２２によって制御されるキースイッチ，２０はＰＴＴスイッチ１８から出力される送信信号が入力されると本無線通信機を送信状態にする制御部，２１が着信表示を報知する報知器である。
【００３４】
ここで、ＰＴＴスイッチ１８がキー入力手段に、報知器２１が報知手段に対応している。
【００３５】
実施例３の無線通信機においては、受信状態を送信状態にするためにＰＴＴスイッチ１８を押す寸前にタイマー２２に着信信号が入力された時、タイマー２２に制御されるキースイッチ１９はＰＴＴスイッチ１８からの信号を遮断して制御部２０に伝えないようにし、受信状態を持続させる。同時に、報知器２１は着信信号によって着信表示を開始する。
【００３６】
着信信号が出力されてから所定時間が経過すると、タイマー２２がオフになりキースイッチ１９が接続される。以降にＰＴＴスイッチ１８から送信信号が出力されたら、送信信号はキースイッチ１９を通って制御部２０に入力される。制御部２０は、無線通信機を送信状態にすると同時に、報知器２１の着信表示を停止させる。
【００３７】
なお、キー入力手段としては、ＰＴＴスイッチに限定されず、電源スイッチ，電子ボリウム用キーを用いてもよい。普通の無線通信機では、電源スイッチを切る寸前や、電子ボリウムで音量を小さくする操作の途中で、自局を呼び出す信号が着信した時はその確認が難しいが、本装置によれば、確実に自局を呼び出す信号が着信したことを知ることができる。
【００３８】
上記３つの実施例において、予め指定した時間（例えば５分間）が経過しても、キー又はスイッチが押されない時（使用者がその場にいない時、又は解除ができない状態の時）は、自動的に着信表示の機能を停止するよう構成すると、消費電力や電池のロスがない。また、前記報知器のＬＣＤはＬＥＤやランプでもよく、音響発生素子からの出力は受信用スピーカーからの出力に替えてもよい。
【００３９】
【発明の効果】
請求項１の無線通信機によれば、自局を呼び出す信号が検出されたことに気づかないうちに、ある機能を指定するためにキーを押しても、タイマーとキースイッチによって所定時間はそのキー操作を無効にするので、自局が呼び出されたことを確実に知ることができる。また、報知手段によって報知が徹底し、更にキーの誤操作が少なくなる。
【図面の簡単な説明】
【図１】実施例１の無線通信機の要部のブロック図である。
【図２】図１の無線通信機の着信処理のフローチャートである。
【図３】図１の無線通信機のキー入力処理のフローチャートである。
【図４】実施例２の無線通信機の要部のブロック図である。
【図５】実施例３の無線通信機の要部のブロック図である。
【符号の説明】
１ 信号解析回路（信号解析手段）
２，１２ 受信部
３，１３ ＤＴＭＦデコーダ
４，１４ メモリー
５，１５，２２ タイマー
６ 処理実行回路
７，１７ キー（キー入力手段）
８，１６，２１ 報知器（報知手段）
９，１９ キースイッチ
１１ ＣＰＵ（信号解析手段）（報知手段）
１８ ＰＴＴスイッチ（キー入力手段）
２０ 制御部
【図１】
0003872825.tif 000002
【図２】
0003872825.tif 000003
【図３】
0003872825.tif 000004
【図４】
0003872825.tif 000005
【図５】
0003872825.tif 000006